【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
前方部にヘッドダイを有する押出機を、水平位置から傾斜位置に揺動させることにより、溶融した筒状パリソンを垂下する前記ヘッドダイを上昇させる中空成形機における押出機の揺動方法であって、
基盤上に、重量のバランスがとれた位置を支点として前記押出機を支持し、該押出機の後方部下方に設けたカムフロアを電動機駆動によって非円軌道運動をするカムの環状溝に嵌合させ、前記電動機の回転によって前記カムを非円軌道に回動させて、前記押出機を水平位置から傾斜位置に揺動させることを特徴とする中空成形機における押出機の揺動方法。
【請求項２】
前方部にヘッドダイを有する押出機を、水平位置から傾斜位置に揺動させることにより溶融した筒状パリソンを垂下する前記ヘッドダイを上昇させる揺動装置を備えた中空成形機であって、
前記押出機が基盤上に重量のバランスがとれた位置を支点として支持され、前記揺動装置が、前記押出機の後方部下方に設けたカムフロアと、該カムフロアが嵌合する環状溝を有して非円軌道運動をするカムと、該カムを非円軌道に回動させる電動機とを備え、該電動機の回転で前記カムを非円軌道に回動させて前記押出機を水平位置から傾斜位置に揺動させることを特徴とする中空成形機。
【請求項３】
前方部にヘッドダイを有する押出機を、水平位置から傾斜位置に揺動させることにより溶融した筒状パリソンを垂下する前記ヘッドダイを上昇させる中空成形機における押出機の揺動方法であって、
基盤上に、重量のバランスがとれた位置を支点として、前記押出機を載置した押出機固定用基板を支持し、該押出機固定用基板の後方部下方に設けたカムフロアを電動機駆動によって非円軌道運動をするカムの環状溝に嵌合させ、前記電動機の回転によって前記カムを非円軌道に回動させて、前記押出機を水平位置から傾斜位置に揺動させることを特徴とする中空成形機における押出機の揺動方法。
【請求項４】
前方部にヘッドダイを有する押出機を、水平位置から傾斜位置に揺動させることにより溶融した筒状パリソンを垂下する前記ヘッドダイを上昇させる揺動装置を備えた中空成形機であって、
基盤上に重量のバランスがとれた位置を支点として支持された、前記押出機を載置した押出機固定用基板を備え、前記揺動装置が、前記押出機固定用基板の後方部下方に設けたカムフロアと、該カムフロアが嵌合する環状溝を有して非円軌道運動をするカムと、該カムを非円軌道に回動させる電動機とを備え、該電動機の回転で前記カムを非円軌道に回動させて前記押出機を水平位置から傾斜位置に揺動させることを特徴とする中空成形機。
【手続補正２】
【補正対象書類名】明細書
【補正対象項目名】０００１
【補正方法】変更
【補正の内容】
【０００１】
本発明は、中空成形機における押出機の揺動方法および揺動装置に関し、詳しくは、ヘッドダイを有する押出機を水平位置から傾斜位置に揺動させることにより溶融した筒状パリソンを垂下するヘッドダイを上昇させる中空成形機およびその押出機の揺動方法に関する。
【手続補正３】
【補正対象書類名】明細書
【補正対象項目名】００２１
【補正方法】変更
【補正の内容】
【００２１】
上記の技術的課題を解決するために、請求項１に記載の発明にあっては、前方部にヘッドダイを有する押出機を、水平位置から傾斜位置に揺動させることにより、溶融した筒状パリソンを垂下する前記ヘッドダイを上昇させる中空成形機における押出機の揺動方法であって、基盤上に、重量のバランスがとれた位置を支点として前記押出機を支持し、該押出機の後方部下方に設けたカムフロアを電動機駆動によって非円軌道運動をするカムの環状溝に嵌合させ、前記電動機の回転によって前記カムを非円軌道に回動させて、押出機を水平位置から傾斜位置に揺動させることを特徴としている。
【手続補正４】
【補正対象書類名】明細書
【補正対象項目名】００２２
【補正方法】変更
【補正の内容】
【００２２】
請求項２に記載の発明にあっては、前方部にヘッドダイを有する押出機を、水平位置から傾斜位置に揺動させることにより溶融した筒状パリソンを垂下する前記ヘッドダイを上昇させる揺動装置を備えた中空成形機であって、  前記押出機が基盤上に重量のバランスがとれた位置を支点として支持され、前記揺動装置が、前記押出機の後方部下方に設けたカムフロアと、該カムフロアが嵌合する環状溝を有して非円軌道運動をするカムと、該カムを非円軌道に回動させる電動機とを備え、該電動機の回転で前記カムを非円軌道に回動させて前記押出機を水平位置から傾斜位置に揺動させることを特徴としている。
【手続補正５】
【補正対象書類名】明細書
【補正対象項目名】００２３
【補正方法】変更
【補正の内容】
【００２３】
請求項３に記載の発明にあっては、前方部にヘッドダイを有する押出機を、水平位置から傾斜位置に揺動させることにより溶融した筒状パリソンを垂下する前記ヘッドダイを上昇させる中空成形機における押出機の揺動方法であって、基盤上に、重量のバランスがとれた位置を支点として、前記押出機を載置した押出機固定用基板を支持し、該押出機固定用基板の後方部下方に設けたカムフロアを電動機駆動によって非円軌道運動をするカムの環状溝に嵌合させ、前記電動機の回転によって前記カムを非円軌道に回動させて、前記押出機を水平位置から傾斜位置に揺動させることを特徴としている。
【手続補正６】
【補正対象書類名】明細書
【補正対象項目名】００２４
【補正方法】変更
【補正の内容】
【００２４】
請求項４に記載の発明にあっては、前方部にヘッドダイを有する押出機を、水平位置から傾斜位置に揺動させることにより溶融した筒状パリソンを垂下する前記ヘッドダイを上昇させる揺動装置を備えた中空成形機であって、基盤上に重量のバランスがとれた位置を支点として支持された、前記押出機を載置した押出機固定用基板を備え、前記揺動装置が、前記押出機固定用基板の後方部下方に設けたカムフロアと、該カムフロアが嵌合する環状溝を有して非円軌道運動をするカムと、該カムを非円軌道に回動させる電動機とを備え、該電動機の回転で前記カムを非円軌道に回動させて前記押出機を水平位置から傾斜位置に揺動させることを特徴としている。
【手続補正７】
【補正対象書類名】明細書
【補正対象項目名】００２５
【補正方法】変更
【補正の内容】
【００２５】
本発明の請求項１および請求項２に記載の中空成形機およびその押出機の揺動方法によれば次のような作用効果を奏するものである。
【手続補正８】
【補正対象書類名】明細書
【補正対象項目名】００２６
【補正方法】変更
【補正の内容】
【００２６】
上記の構成にしてあるので、基盤上に前後に重量のバランスがとれた位置を支点として支持された押出機を水平位置から傾斜位置に揺動させてヘッドダイを上下方向に移動・揺動させて、成形金型に収納した筒状パリソンの上方端をパリソン切断装置で切断する際に、切断された先の筒状パリソンと次ぎに溶融・垂下している筒状パリソンとが干渉しないように、切断前にヘッドダイを若干上昇させて筒状パリソンを延伸しながら切断してパリソンの干渉を防止する機能を、あるいは垂下している筒状パリソンを予備ブローして切り口を膨らませて切断しその後直ちにヘッドダイを若干上昇させてパリソンの干渉を防止する機能を確実に発揮できるものである。
【手続補正９】
【補正対象書類名】明細書
【補正対象項目名】００２７
【補正方法】変更
【補正の内容】
【００２７】
押出機を前後に重量のバランスがとれた位置において支持部に上方から懸架し、その懸架・支持部の重量のバランスがとれた位置を支点として基盤上に下方から支持する方式、あるいは押出機を前後に重量のバランスがとれた位置において下方から支持し、その支持部を支点として基盤上に下方から支持する方式であるので、懸架・支持部を支点として下方からの支持方式としてあっても良く、また、支持部を支点として下方からの支持方式としてあっても良くと、比較的小型から大型タイプの押出機、比較的軽量から重量タイプの押出機と広範な押出機に好適に適用することができるものである。
【手続補正１０】
【補正対象書類名】明細書
【補正対象項目名】００３０
【補正方法】変更
【補正の内容】
【００３０】
しかも、支持部に上方から懸架し基盤上に支持する方式、あるいは下方から支持し基盤上に支持する方式のいずれも、押出機を前後に重量のバランスがとれた位置において基盤上に支持してあるので、小さな力で押出機を揺動させることができるものである。
【手続補正１１】
【補正対象書類名】明細書
【補正対象項目名】００３１
【補正方法】変更
【補正の内容】
【００３１】
また、揺動装置が電動機、カムフロア、カムによる回動機構であるので、電動機の回動がカムに無駄なく、確実に伝達され、カムはカムフロアと協動して、かつ押出機を重量のバランスを取って基盤上に支持、と相まって押出機を容易に揺動させることができるものである。
【手続補正１２】
【補正対象書類名】明細書
【補正対象項目名】００３２
【補正方法】変更
【補正の内容】
【００３２】
さらには、カムなどによる回動機構であるので、押出機が水平状態にあるカムの初期位置から押出機が傾斜状態になるカムの回動位置への移行はスムーズになるために、回動機構、押出機などに対する衝撃や振動を抑制することができるものである。
【手続補正１３】
【補正対象書類名】明細書
【補正対象項目名】００３３
【補正方法】変更
【補正の内容】
【００３３】
なお、押出機が傾斜状態にあるカムの終了位置から押出機が水平状態になるカムの初期位置への移行においても同様である。
【手続補正１４】
【補正対象書類名】明細書
【補正対象項目名】００３４
【補正方法】変更
【補正の内容】
【００３４】
さらにまた、揺動装置のカムの形状・大きさ、電動機やカムフロアの形式などを変更することにより、ヘッドダイを有する押出機を水平位置から傾斜位置に揺動する程度、換言すると溶融した筒状パリソンを垂下するヘッドダイを上昇させる距離を調整することができるものである。
【手続補正１５】
【補正対象書類名】明細書
【補正対象項目名】００３５
【補正方法】変更
【補正の内容】
【００３５】
本発明の請求項３および請求項４の記載の中空成形機およびその押出機の揺動方法によれば次のような作用効果を奏するものである。
【手続補正１６】
【補正対象書類名】明細書
【補正対象項目名】００３６
【補正方法】変更
【補正の内容】
【００３６】
上記の構成にしてあるので、前後に重量のバランスがとれた位置において押出機固定用基板を介してその支点で基盤上に下方から支持された押出機を水平位置から傾斜位置に揺動させてヘッドダイを上下方向に移動・揺動させる。
【手続補正１７】
【補正対象書類名】明細書
【補正対象項目名】００３７
【補正方法】変更
【補正の内容】
【００３７】
そして、成形金型に収納した筒状パリソンの上方端をパリソン切断装置で切断する際に、切断された先の筒状パリソンと次ぎに溶融・垂下している筒状パリソンとが干渉しないように、切断前にヘッドダイを若干上昇させて筒状パリソンを延伸しながら切断してパリソンの干渉を防止する機能を、あるいは垂下している筒状パリソンを予備ブローして切り口を膨らませて切断し、その後、直ちにヘッドダイを若干上昇させてパリソンの干渉を防止する機能を確実に発揮できるものである。
【手続補正１８】
【補正対象書類名】明細書
【補正対象項目名】００３８
【補正方法】変更
【補正の内容】
【００３８】
押出機を前後に重量のバランスがとれた位置において押出機固定用基板を介してその支点で基盤上に下方から支持する方式であるので、押出機本体の上方部に懸架用の支持フレームなどを配することができ難い押出機、押出機本体の側方に機器類を配設する必要のある押出機、押出機本体に既にある別タイプの揺動装置を本発明の揺動装置に変更したい押出機、押出機本体を基板上に安定した形式で支持したい押出機など種々の押出機に好適に適用することができるものである。
【手続補正１９】
【補正対象書類名】明細書
【補正対象項目名】００３９
【補正方法】変更
【補正の内容】
【００３９】
特に、押出機を前後に重量のバランスがとれた位置において押出機固定用基板を介して下方から安定した形式で基盤上の支点に支持し、その基板の後方部下方にカムフロアなどを配した方式のものは、押出機を載置した押出機固定用基板を下方から支点に支持する方式であるので、押出機本体の上方がすっきりするとともに、押出機本体の上方からの保守・点検が行い易くなるものである。
【手続補正２０】
【補正対象書類名】明細書
【補正対象項目名】００４１
【補正方法】変更
【補正の内容】
【００４１】
しかも、押出機を前後に重量のバランスがとれた位置において基板を介して下方から、必要に応じて上方からも安定した形式で基盤上に支持しているものであるので、小さな力で押出機を揺動させることができるものである。
【手続補正２１】
【補正対象書類名】明細書
【補正対象項目名】００４２
【補正方法】変更
【補正の内容】
【００４２】
また、揺動装置が、電動機、カム、カムフロアなどで構成してあるので、電動機の回動がカムに無駄なく、確実に伝達され、カムはカムフロアと協動して、かつ押出機を前後に重量のバランスを取って基盤上に支持、と相まって押出機を容易に揺動させることができるものである。
【手続補正２２】
【補正対象書類名】明細書
【補正対象項目名】００４３
【補正方法】変更
【補正の内容】
【００４３】
さらには、カムなどによる回動機構であるので、押出機が水平状態にあるカムの初期位置から押出機が傾斜状態になるカムの回動位置への初期移行はスムーズになるために、回動機構、押出機などに対する衝撃や振動を抑制することができるものである。
【手続補正２３】
【補正対象書類名】明細書
【補正対象項目名】００４４
【補正方法】変更
【補正の内容】
【００４４】
なお、押出機が傾斜状態にあるカムの終了位置から押出機が水平状態になるカムの初期位置への移行においても同様である。
【手続補正２４】
【補正対象書類名】明細書
【補正対象項目名】００４５
【補正方法】変更
【補正の内容】
【００４５】
さらにまた、揺動装置のカムの形状・大きさ、電動機やカムフロアの形式などを変更することにより、ヘッドダイを有する押出機を水平位置から傾斜位置に揺動する程度、換言すると溶融した筒状パリソンを垂下するヘッドダイを上昇させる距離を調整することができるものである。